(57)【要約】【課題】容器首部にキャップをねじ込み装着するとき、キャップのキャップの装着高さ位置を自由に設定することができる一方、同時に、搬送時や箱詰め時や加熱処理によってキャップ装着位置からキャップが緩んで脱落することを防止することができる緩み止めキャップ装着装置。【解決手段】容器首部２１にキャップ１をねじ込み式に装着するキャップ装着位置において、キャップスカート部４が、容器首部２１の停止片２４に係合してキャップ１のねじ込みを阻止されると同時に、容器首部２１の取り外し阻止片１３に係合してキャップ１のねじ戻しを阻止されるようになした緩み止めキャップ装着装置。【選択図】　　　　　　　図１
2004131086.tif 000002
【特許請求の範囲】
【請求項１】
容器首部にキャップをねじ込み式に装着するキャップ装着位置において、キャップスカート部が、容器首部の停止片に係合してキャップのねじ込みを阻止されると同時に、容器首部の取り外し阻止片に係合してキャップのねじ戻しを阻止されるようになした緩み止めキャップ装着装置。
【請求項２】
請求項１に記載の緩み止めキャップ装着装置において、容器首部の取り外し阻止片をローレット状の微細な凹凸係合部により構成すると共に、キャップスカート部に該ローレットに係合してキャップのねじ戻しを阻止する微細係止部を設けてなる緩み止めキャップ装着装置。
【請求項３】
請求項１又は２に記載の緩み止めキャップ装着装置において、容器首部の一部にローレット状の微細な凹凸係合部を設けると共に、キャップスカート部に該ローレットに係合してキャップのねじ戻しを阻止する微細係止部を設けてなる緩み止めキャップ装着装置。
【請求項４】
請求項１、２又は３に記載の緩み止めキャップ装着装置において、互いに係合する容器首部及びキャップスカート部のねじ部にローレット状の微細な凹凸係合部と凹凸係止部を設けてなる緩み止めキャップ装着装置。
【請求項５】
請求項１乃至４のいずれかに記載の緩み止めキャップ装着装置において、キャップの天板部が容器開口に密着しない位置においてキャップのねじ込みとねじ戻しを阻止されるようになした緩み止めキャップ装着装置。
【請求項６】
請求項１乃至５のいずれかに記載の緩み止めキャップ装着装置において、キャップスカート部に分離可能に設けた分離スカート部が係合してキャップのねじ込みとねじ戻しを阻止されるようになした緩み止めキャップ装着装置。
【請求項７】
請求項６に記載の緩み止めキャップ装着装置において、キャップスカート部と分離スカート部とが容易に切断する複数個所のブリッジにより連結されている緩み止めキャップ装着装置。
【請求項８】
請求項６又は７に記載の緩み止めキャップ装着装置において、キャップスカート部から分離スカート部を分離することによって容器首部からキャップをねじ戻して離脱するようになした緩み止めキャップ装着装置。
【請求項９】
請求項８に記載の緩み止めキャップ装着装置において、キャップスカート部から分離した分離スカート部を、タンパーエビデントリングとして容器首部に残してキャップを離脱するようになした緩み止めキャップ装着装置。
【請求項１０】
請求項９に記載の緩み止めキャップ装着装置において、分離スカート部が、タンパーエビデントリングとして容器首部から上方に抜け落ちないように脱落を阻止されるようになした緩み止めキャップ装着装置。
【請求項１１】
請求項１０に記載の緩み止めキャップ装着装置において、分離スカート部の脱落阻止部が容器首部の脱落阻止片に当接しない回転位置からキャップを容器首部にねじ込み始め、容器首部の停止片に突き当たってねじ込みが停止する装着位置で脱落阻止部と脱落阻止片が当接可能になした緩み止めキャップ装着装置。
【請求項１２】
請求項１１に記載の緩み止めキャップ装着装置において、分離スカート部の脱落阻止部と容器首部の脱落阻止片とを互いに重なり合わない間隔を隔てて等角度間隔に設けて、互いに当接しない回転位置からキャップを容器首部にねじ込み始め、容器首部の停止片に突き当たってねじ込みが停止する装着位置で脱落阻止部と脱落阻止片が当接可能になした緩み止めキャップ装着装置。
【請求項１３】
請求項１１又は１２に記載の緩み止めキャップ装着装置において、分離スカート部の脱落阻止部のねじ込み方向先端部付近に取り外し阻止部を設けると共に、ねじ込み方向後端部付近に回転阻止部を設け、容器首部の脱落阻止片のねじ込み方向先端部付近に設けた取り外し阻止片とねじ込み方向後端部付近に設けた停止片に、装着段階でそれぞれ相対して係合可能に設けた緩み止めキャップ装着装置。
【請求項１４】
請求項１１、１２又は１３に記載の緩み止めキャップ装着装置において、分離スカート部の脱落阻止部を分離スカート部の下縁辺付近に設けると共に、容器首部の脱落阻止片を取り外し阻止片又は停止片の上縁辺付近に設けてなる緩み止めキャップ装着装置。
【請求項１５】
請求項１１乃至１４のいずれかに記載の緩み止めキャップ装着装置において、キャップスカート部と分離スカート部の間にねじ込み推進方向においてのみ連動するように係合する連動係合部を設けてなる緩み止めキャップ装着装置。
【請求項１６】
請求項６乃至１５に記載の緩み止めキャップ装着装置において、キャップスカート部から分離した分離スカート部を装着位置から下方に避退可能になした緩み止めキャップ装着装置。
【請求項１７】
請求項６乃至１６に記載の緩み止めキャップ装着装置において、キャップスカート部から分離スカート部を分離した後、キャップスカート部が、容器首部の停止片に推進を阻止されることなく、キャップを天板部が容器開口に密着する位置にまで推進することができるようになした緩み止めキャップ装着装置。
【請求項１８】
請求項１７に記載の緩み止めキャップ装着装置において、キャップの天板部にキャップ密封栓部を設け、キャップスカート部から分離スカート部を分離した後、キャップスカート部が、容器首部の停止片に推進を阻止されることなく、キャップ密封部が容器開口に嵌合して密封する位置にまで推進することができるようになした緩み止めキャップ装着装置。
【請求項１９】
請求項１乃至１８のいずれかに記載の緩み止めキャップ装着装置において、当該緩み止めキャップ装着装置がレトルト処理やボイル処理のような充填後に熱処理を行う容器に設けてある緩み止めキャップ装着装置。
【発明の詳細な説明】
【０００１】
【発明の属する技術分野】
本発明は、緩み止めキャップ装着装置に関する。
【０００２】
【従来の技術】
従来、例えば、ガスバリヤ性に優れている等の理由で、容器開口にアルミシール、又はプルトップ付の中栓等からなるシール部材を設けた容器首部にキャップを装着して容器を販売した後、需要者がシール部材を除去して容器内容物を使用した後、再度キャップを装着してキャップ内奥の密封栓部を容器開口に嵌合して密封し、液漏れ等が生じないように使用するタイプの容器の場合等において、最初にシール部材を設けた容器首部にキャップを装着する第１の装着段階で、前記キャップ密封栓部が前記シール部材を破らないようにするには、キャップ密封栓部が嵌合する分だけシール部材を容器開口の内奥に位置して設ける必要がある。
【０００３】
また、従来、内容物を充填しキャップ装着後にレトルト処理やボイル処理のような加熱処理を行うねじ止め式キャップ容器においては、加熱によってキャップに緩みが生じる恐れがあるため、締め付けトルクを増大して緩みを防止する手段を採るのが一般的であった。
【０００４】
【発明が解決しようとする課題】
シール部材を容器開口の内奥に位置して設けることは、それだけ容器開口を複雑にし、シール部材の設置も難しくなるのみならず、シール部材を除去する手段もアルミシール等の場合には困難になる課題がある。
また、ねじ止め式キャップ容器において、締め付けトルクを増大して緩みを防止する手段では、締め付けすぎると、離脱するのが困難になるのみならず、ねじ山を損傷する等の課題があり、締め付けが充分でない場合には加熱により緩みが生じる等の課題があった。
【０００５】
【課題を解決するための手段】
そこで、本発明は、容器首部にキャップをねじ込み式に装着するキャップ装着位置において、キャップスカート部が、容器首部の停止片に係合してキャップのねじ込みを阻止されると同時に、容器首部の取り外し阻止片に係合してキャップのねじ戻しを阻止されるようになした緩み止めキャップ装着装置を提供するものである。
【０００６】
本発明によれば、容器首部にキャップをねじ込み装着するとき、キャップ装着位置において、キャップスカート部が、容器首部の停止片に係合してキャップの推進を阻止されることにより、キャップの装着位置を自由に設定することができるから、例えば、キャップ天板部の密封栓部や破栓用突起等が容器開口に設けた中栓やシール部材に当接して破壊しないように、キャップの装着高さ位置を自由に設定することができる一方、同時に、キャップスカート部が、容器首部の取り外し阻止片に係合してキャップの離脱を阻止されることにより、搬送時や箱詰め時にキャップ装着位置からキャップが緩んで脱落することを防止することができるのみならず、内容物を充填しキャップ装着後にレトルト処理やボイル処理のような加熱処理を行うねじ止め式キャップ容器において、加熱によってキャップに緩みが生じるのを防止することができる。
【０００７】
また、本発明は、請求項２に記載のように、請求項１に記載の緩み止めキャップ装着装置において、容器首部の取り外し阻止片をローレット状の微細な凹凸係合部により構成すると共に、キャップスカート部に該微細な凹凸係合部に係合してキャップのねじ戻しを阻止する微細係止部を設けてなる緩み止めキャップ装着装置を提供するものである。
【０００８】
また、本発明は、請求項３に記載のように、請求項１又は２に記載の緩み止めキャップ装着装置において、容器首部の一部にローレット状の微細な凹凸係合部を設けると共に、キャップスカート部に該ローレットに係合してキャップのねじ戻しを阻止する微細係止部を設けてなる緩み止めキャップ装着装置を提供するものである。
上記請求項２又は３に記載の本発明によれば、ローレット状の微細な凹凸係合部からなる取り外し阻止片に、キャップスカート部の微細係止部が係合することにより、微細な構造で強力に緩みを阻止することができる。
【０００９】
また、本発明は、請求項４に記載のように、請求項１、２又は３に記載の緩み止めキャップ装着装置において、互いに係合する容器首部及びキャップスカート部のねじ部にローレット状の微細な凹凸係合部と凹凸係止部を設けてなる緩み止めキャップ装着装置を提供するものである。
本発明によれば、容器首部及びキャップスカート部に特別の構造を設けることなく、互いに係合する容器首部及びキャップスカート部のねじ部によって、強力に緩みを阻止することができる。
【００１０】
また、本発明は、請求項５に記載のように、請求項１乃至４のいずれかに記載の緩み止めキャップ装着装置において、キャップの天板部が容器開口に密着しない位置においてキャップのねじ込みとねじ戻しを阻止されるようになした緩み止めキャップ装着装置を提供するものである。
本発明によれば、キャップ装着位置において、キャップの天板部が容器開口に密着しないことにより、例えば、キャップ天板部に密封栓部や破栓用突起等を突出して設けることができると共に、容器開口にキャップ天板部に接触して影響を受けないように中栓やシール部材を設けることができる。
【００１１】
また、本発明は、請求項６に記載のように、請求項１乃至５のいずれかに記載の緩み止めキャップ装着装置において、キャップスカート部に分離可能に設けた分離スカート部が係合してキャップのねじ込みとねじ戻しを阻止されるようになした緩み止めキャップ装着装置を提供するものである。
本発明によれば、容器首部の停止片に係合してキャップの推進を阻止され、同時に、容器首部の取り外し阻止片に係合してキャップの離脱を阻止されるのが、キャップスカート部に分離可能に設けた分離スカート部であることにより、分離スカート部を除去した後のキャップスカート部は容器首部の停止片や取り外し阻止片に関係なく自由に着脱することができるから、例えば、容器使用時にシール部材や中栓を除去した後にキャップを容器開口に密着するように自由に装着することができる。
【００１２】
また、本発明は、請求項７に記載のように、請求項６に記載の緩み止めキャップ装着装置において、キャップスカート部と分離スカート部とが容易に切断する複数個所のブリッジにより連結されている緩み止めキャップ装着装置を提供するものである。
本発明によれば、キャップスカート部と分離スカート部とをブリッジを切断することにより容易に分離することができる。
【００１３】
また、本発明は、請求項８に記載のように、請求項６又は７に記載の緩み止めキャップ装着装置において、キャップスカート部から分離スカート部を分離することによって容器首部からキャップを離脱するようになした緩み止めキャップ装着装置を提供するものである。
本発明によれば、キャップスカート部から容器首部の取り外し阻止片に係合してキャップの離脱を阻止されるている分離スカート部を分離することによって容器首部からキャップを離脱することができる。
【００１４】
また、本発明は、請求項９に記載のように、請求項８に記載の緩み止めキャップ装着装置において、キャップスカート部から分離した分離スカート部を、タンパーエビデントリングとして容器首部に残してキャップを離脱するようになした緩み止めキャップ装着装置を提供するものである。
本発明によれば、キャップスカート部から分離した分離スカート部を容器首部に残しておくことができると共に、容器首部に残された分離スカート部がタンパーエビデントリングとして機能することとなる。
【００１５】
また、本発明は、請求項１０に記載のように、請求項９に記載の緩み止めキャップ装着装置において、分離スカート部が、タンパーエビデントリングとして容器首部から上方に抜け落ちないように脱落を阻止されるようになした緩み止めキャップ装着装置を提供するものである。
本発明によれば、分離スカート部が容器首部から上方に抜け落ちないように脱落を阻止されることにより、分離後にタンパーエビデントリングとして機能を持続することとなる。
【００１６】
また、本発明は、請求項１１に記載のように、請求項１０に記載の緩み止めキャップ装着装置において、分離スカート部の脱落阻止部が容器首部の脱落阻止片に当接しない回転位置からキャップを容器首部にねじ込み始め、容器首部の停止片に突き当たってねじ込みが停止する装着位置で脱落阻止部と脱落阻止片が当接可能になした緩み止めキャップ装着装置を提供するものである。
【００１７】
本発明によれば、キャップを容器首部にねじ込み始めるときには、分離スカート部の脱落阻止部が容器首部の脱落阻止片に当接しないから容易且つ円滑にキャップのねじ込みができ、ねじ込みが停止する装着位置では脱落阻止部と脱落阻止片が当接することにより、分離スカートの脱落が防止されていることとなる。分離スカート部を分離してキャップを容器首部から離脱したときには、分離スカート部は容器首部に脱落阻止されて残されることとなる。
【００１８】
また、本発明は、請求項１２に記載のように、請求項１１に記載の緩み止めキャップ装着装置において、分離スカート部の脱落阻止部と容器首部の脱落阻止片とを互いに重なり合わない間隔を隔てて等角度間隔に設けて、互いに当接しない回転位置からキャップを容器首部にねじ込み始め、容器首部の停止片に突き当たってねじ込みが停止する装着位置で脱落阻止部と脱落阻止片が当接可能になした緩み止めキャップ装着装置を提供するものである。
【００１９】
本発明によれば、分離スカート部の脱落阻止部と容器首部の脱落阻止片とを、互いに重なり合わない回転位置からキャップを容器首部にねじ込み始め、ねじ込みが停止する装着位置で脱落阻止部と脱落阻止片が重なり合って当接して、分離スカートの脱落が確実に防止されることとなる。
【００２０】
また、本発明は、請求項１３に記載のように、請求項１１又は１２に記載の緩み止めキャップ装着装置において、分離スカート部の脱落阻止部のねじ込み方向先端部付近に取り外し阻止部を設けると共に、ねじ込み方向後端部付近に回転阻止部を設け、容器首部の脱落阻止片のねじ込み方向先端部付近に設けた取り外し阻止片とねじ込み方向後端部付近に設けた停止片に、装着段階でそれぞれ相対して係合可能に設けた緩み止めキャップ装着装置を提供するものである。
【００２１】
本発明によれば、ねじ込みが停止する装着位置で、分離スカート部の脱落阻止部と容器首部の脱落阻止片が重なり合っている状態において、分離スカート部の脱落阻止部のねじ込み方向先端部付近に設けた取り外し阻止部が容器首部の脱落阻止片のねじ込み方向先端部付近に設けた取り外し阻止片と相対し、分離スカート部のねじ込み方向後端部付近に設けた回転阻止部が容器首部のねじ込み方向後端部付近に設けた停止片にそれぞれ相対して係合して、キャップスカート部と容器首部がねじ込み、ねじ戻し及び離脱方向において確実に結合した状態にある。
【００２２】
また、本発明は、請求項１４に記載のように、請求項１１、１２又は１３に記載の緩み止めキャップ装着装置において、分離スカート部の脱落阻止部を分離スカート部の下縁辺付近に設けると共に、容器首部の脱落阻止片を取り外し阻止片又は停止片の上縁辺付近に設けてなる緩み止めキャップ装着装置を提供するものである。
本発明によれば、分離スカート部の下縁辺付近に設けた脱落阻止部と、容器首部の取り外し阻止片又は停止片の上縁辺付近に設けた脱落阻止片とが、キャップ装着段階の初期に重なり合って係合するようにすることができると共に、分離後の分離スカート部を下方に避退するスペースを大きくとることができる。
【００２３】
また、本発明は、請求項１５に記載のように、請求項１１乃至１４のいずれかに記載の緩み止めキャップ装着装置において、キャップスカート部と分離スカート部の間にねじ込み推進方向においてのみ連動するように係合する連動係合部を設けてなる緩み止めキャップ装着装置を提供するものである。
本発明によれば、キャップスカート部と分離スカート部の間に設けた連動係合部が、キャップのねじ込み推進方向においてのみ連動するから、キャップねじ込み方向には分離作用力が作用することなく、キャップを装着することができると共に、キャップ離脱ねじ戻し方向には、分離スカート部に分離作用力が働き、分離することができることとなる。
【００２４】
また、本発明は、請求項１６に記載のように、請求項６乃至１５のいずれかに記載の緩み止めキャップ装着装置において、キャップスカート部から分離した分離スカート部を装着位置から下方に避退可能になした緩み止めキャップ装着装置を提供するものである。
本発明によれば、キャップスカート部から分離した分離スカート部を装着位置から下方に避退することができ、次ぎにキャップを自由な深さにまで推進して装着することができる。
【００２５】
また、本発明は、請求項１７に記載のように、請求項６乃至１６のいずれかに記載の緩み止めキャップ装着装置において、キャップスカート部から分離スカート部を分離した後、キャップスカート部が、容器首部の停止片に推進を阻止されることなく、キャップを天板部が容器開口に密着する位置にまで推進することができるようになした緩み止めキャップ装着装置を提供するものである。
本発明によれば、キャップスカート部から分離スカート部を分離した後、キャップスカート部が容器首部の停止片に推進を阻止されることがないから、キャップを天板部が容器開口に密着する位置にまで推進することができる。
【００２６】
また、本発明は、請求項１８に記載のように、請求項１７に記載の緩み止めキャップ装着装置において、キャップの天板部にキャップ密封栓部を設け、キャップスカート部から分離スカート部を分離した後、キャップスカート部が、容器首部の停止片に推進を阻止されることなく、キャップ密封部が容器開口に嵌合して密封する位置にまで推進することができるようになした緩み止めキャップ装着装置を提供するものである。
本発明によれば、キャップスカート部から分離スカート部を分離した後、キャップスカート部が容器首部の停止片に推進を阻止されることがないから、キャップの天板部に設けたキャップ密封部を、容器開口に嵌合して密封する位置にまで装着することができる。
【００２７】
また、本発明は、請求項１９に記載のように、請求項１乃至１８のいずれかに記載の緩み止めキャップ装着装置において、当該緩み止めキャップ装着装置がレトルト処理やボイル処理のような充填後に熱処理を行う容器に設けてある緩み止めキャップ装着装置を提供するものである。
本発明によれば、レトルト処理やボイル処理のような充填後に熱処理を行う容器において、加熱後にキャップに生じる緩みを防止することができる。
【００２８】
【発明の実施の形態】
以下図示する実施例により本発明の実施の形態を説明する。
図１において、１はキャップで、その天板部に、首部本体２０の容器首部２１に破線で示す容器開口２２に嵌合するキャップ密封栓部２を具備している。容器開口２２には、太線で示すシール部材３０が設けてあり、図１に示す第１の装着段階ではキャップ密封栓部２はシール部材３０を破らないように接している。
【００２９】
なお、キャップ密封栓部２は、実施例では、容器開口２２の内周部に嵌合する凸状の形態からなるが、容器開口のシール部材３０を破砕する鋭端部を有する形態のもの、容器開口２２のの外周部に嵌合する凹状の形態のもの、容器開口２２の内外周部に嵌合する二重円筒状の形態のもの、或いは、ゴム状で弾性変形して容器開口２２に密着する形態のもの等の構成のものが含まれ、従って、容器開口２２にキャップ密封栓部２が嵌合する形態としては、文字通りに嵌合する形態に限定されずに、容器開口に圧着する形態も含まれるものである。
【００３０】
また、シール部材３０は、図示の実施例では、アルミシールのように、内側の樹脂層を容器開口２２に剥ぎ取り可能に接着又は溶着した形態のものであるが、容器開口２２にプルトップにより剥ぎ取り可能に一体成形した形態のもの、破り取れるように薄膜状に設けた形態のもの、或いは、内栓式に容器開口２２に弾性的に嵌着した形態のもの等の従来公知の形態が含まれる。
【００３１】
容器首部２１には、約１８０＆ｄｅｇ；の角度に２重ねじ２３が設けてあり、これにキャップ１のねじ３が螺合して、図３の螺号開始位置から、図４の約４５＆ｄｅｇ；回転した中間位置を経て、図５の約９０＆ｄｅｇ；回転したキャップ密封栓部２がシール部材３０に接している第１の装着段階に至り、キャップ１を一旦取り外してシール部材３０を除去してから、再度螺合して約１８０＆ｄｅｇ；回転したときには、図６に記載のように、容器開口２２にキャップ密封栓部２が嵌合して密封する第２の装着段階にキャップ１を装着することができるように構成してある。
【００３２】
キャップ１には、図７に記載の如く、外周にやや拡張したキャップスカート部４が設けてあり、その下側に所定の間隔５を隔てて分離スカート部１０がタンパーエビデントリングとしてブリッジ６により離脱可能に連結して設けてある。
キャップスカート部４には、１８０＆ｄｅｇ；の間隔を隔てて２個所に切欠部８によってねじ込み方向に向かって係合歯７が設けてあると共に、これに図８又は図９に記載の如く、分離スカート部１０の上縁部に突設した係合歯１１が係合するように設けてあり、キャップ１のねじ込み方向の回転において、分離スカート部１０がブリッジ６が千切れることなくキャップ１と一体に回転するように構成してある。
【００３３】
なお、上記係合歯７、１１は、キャップスカート部４と分離スカート部１０の間において、ねじ込み推進方向においてのみ連動するように係合する連動係合部を構成している。
また、分離スカート部１０には、上記係合歯１１のねじ込み方向側に位置してねじ込み方向に突出した回転阻止部１２が設けてあり、図２又は図５に記載の如く、第１の装着段階において、容器首部２１の下端部に設けた停止片２４に当接してねじ込み方向の回転を阻止されるように構成してある。
【００３４】
また、分離スカート部１０には、上記係合歯１１のねじ戻し方向側に位置してねじ戻し方向に突出した取り外し阻止部１３が設けてあり、図２又は図５に記載の如く、第１の装着段階において、容器首部２１の下端部に設けた取り外し阻止片２５に当接してねじ戻し方向の回転を阻止されるように構成してある。
【００３５】
従って、図１、図２又は図５の第１の装着段階において、分離スカート部１０は、ねじ込み方向にもねじ戻し方向にも回転を阻止されているから、キャップ１はブリッジ６が連結している限りにおいて分離スカート部１０と一体に回転を阻止され、第１の装着段階に確実に保持され、緩み止めがなされることとなり、キャップ装着後に容器に加熱処理等がなされたとしても、不用意に離脱されることは防止されている。
【００３６】
また、本発明に係る緩み止めキャップ装着装置の実施の形態としては、容器首部の取り外し阻止片２５をローレット状の微細な凹凸係合部により構成すると共に、分離スカート部１０には、前記取り外し阻止片２５として設けた微細な凹凸係合部に係合してキャップのねじ戻しを阻止する微細係止部を設けて、微細な構造で確実に緩みを阻止することができる構成にすることも可能である。
【００３７】
また、本発明緩み止めキャップ装着装置の他の実施の形態としては、前記取り外し阻止片２５とは別に緩み止め用に、容器首部の一部にローレット状の微細な凹凸係合部を設けると共に、キャップスカート部に該ローレットに係合してキャップのねじ戻しを阻止する微細係止部を設けてなる構成にすることも可能である。
なお、上記ローレット状の微細な凹凸係合部と、これに係合する微細係止部とを、多数の鋸歯状の微細係合・係止歯で構成することにより、多数の歯が噛み合って微細構造でより精度の高い強力な緩み止めキャップ装着装置を提供することができる。
【００３８】
また、本発明緩み止めキャップ装着装置の他の実施の形態としては、互いに係合する容器首部２１及びキャップスカート部４のねじ２３，３にローレット状の微細な凹凸係合部と凹凸係止部を設けて、ねじ２３，３が互いに噛み合って緩み止めを行う構成にすることも可能であり、この本発明の実施の形態によれば、容器首部及びキャップスカート部に特別の構造を設けることなく、互いに係合する容器首部及びキャップスカート部のねじによって、強力に緩みを阻止することができる。
【００３９】
ここで、図示の実施例においては、キャップ１のねじ込み方向の回転に対しては、キャップスカート部の係合歯７と分離スカート部の係合歯１１とが係合していることにより、ブリッジ６に切断力が加わらずにキャップ１と分離スカート部１０は一体的に回転を阻止される一方、キャップ１のねじ戻し方向の回転に対しては、キャップスカート部の係合歯７と分離スカート部の係合歯１１とが離脱可能で、キャップを強くねじ戻すときにはブリッジ６に切断力が加わり、キャップ１は分離スカート部１０を残してねじ戻し方向に回転することとなる。
【００４０】
なお、実施例の場合、図７に記載の如く、離脱方向の回転に対して互いに当接する係合歯７，１１のテーパー面９，１４が互いに間隔５を拡張してブリッジ６の切断を促進することになり、ブリッジ６に強力に切断力が加わり、容易且つ円滑にブリッジを切断することができることとなる。
また、分離スカート部１０には、上記係合歯１１から約９０＆ｄｅｇ；の角度間隔で、回転阻止部１２と取り外し阻止部１３との間に、脱落阻止部１５が約１８０＆ｄｅｇ；隔てて円弧状に相対して配設してある。実施例の場合、脱落阻止部１５は、図１又は図２に記載の如く、第１の装着段階において、容器首部２１の下端部に回転阻止片２４と取り外し阻止片２５の間に渡って円弧状に突設した脱落阻止片２６に係合して脱落を阻止されるように構成してある。
【００４１】
実施例の場合、脱落阻止部１５は分離スカート部１０の下端部に設けてある一方、脱落阻止片２６は回転阻止片２４と取り外し阻止片２５の上端部に設けてあり、図３のキャップ１の装着開始位置で分離スカート部１０の下端部に設けてある脱落阻止部１５が、回転阻止片２４と取り外し阻止片２５の上端部に設けてある脱落阻止片２６の下側に位置するようにして、図４及び図５の如く、脱落阻止部１５が脱落阻止片２６の下側に円滑に係合するように構成してある。
【００４２】
容器首部２１の脱落阻止片２６の下側は、図６に記載の如く、分離スカート部１０が下方に移動してリング受け段部２７上にタンパーエビデントリングとして収まる程度に、縦長にスペースを設けてあり、そのスペースに縦長に前記回転阻止片２４と取り外し阻止片２５が設けてあり、分離スカート部１０の下方向への移動を円滑にガイドする機能も兼ねている。
容器首部２１は、図示の実施例の場合、図では省略した柔軟な袋状容器の開口部に一体に取り付けられるスパウト３１に設けてあり、リング受け段部２７の下側に連結首部２９を隔てて容器肩部２８が設けてある。
【００４３】
図１０乃至図１２に記載の如く、スパウト３１の容器肩部２８の下側には、鍔状部３２と溝状部３３とを交互に設けた取付部３５が設けてあり、この取付部３５に接着剤又は溶着等により袋状容器の開口部を取り付けることができるように構成してある。
上記の実施例の構成において、容器首部２１にキャップ１を螺合してねじ込み回転して推進していくと、図３の螺合開始位置において、キャップスカート部４にブリッジ６を介して離脱可能に設けた分離スカート部１０の下端部の脱落阻止部１５が、容器首部２１の脱落阻止片２６を乗り越えてその下側に位置して螺合し、図４の中間位置を経て、図５の約９０＆ｄｅｇ；回転した状態で、分離スカート部１０の回転阻止部１２が容器首部２１の停止片２４に突き当たってキャップ１の推進を阻止し、前記キャップ密封栓部２が前記シール部材３０を破らない位置にキャップ１を装着する第１の装着段階に至る。
【００４４】
この状態では、キャップ１と分離スカート部１０は係合歯７，１１がねじ込み方向において一体的に連動するように係合しているから、キャップ１をねじ込み方向に回転することは不可能である。また、途中のねじ込み状態では、キャップ１のねじ込み方向において多少の抵抗があっても分離スカート部１０にブリッジ６が破断するような力が加わらないから、第１の装着状態に至るまでに分離スカート部１０が離脱する恐れはない。また、この状態で、キャップ１のねじ戻し方向の回転力に対しては、図２に記載のように、分離スカート部１０の取り外し阻止部１３は容器首部の取り外し阻止片２５に係合して回転しないから、緩み止めが強力になされて、加熱処理によってもキャップ１が不用意に離脱するようなことは防止されている。
【００４５】
次ぎに、容器の内容物を使用するため、キャップ１をねじ戻し方向に逆転して取り外すときには、前述のように、分離スカート部１０の取り外し阻止部１３は容器首部の取り外し阻止片２５に係合して回転しないから、キャップ１に更に回転力を加えると、ブリッジ６が引き千切れて、キャップ１だけが取り外されることとなり、分離スカート部１０は、図６に記載のように、タンパーエビデントリングとしてリング受け段部２７上に落下して留まる。
【００４６】
そして、シール部材３０を除去後に、キャップ１を再度螺合するときには、キャップスカート部４に分離スカート部１０は存在ないから、回転阻止片２４に阻止されることなく、図６に記載のように、容器開口２２にキャップ密封栓部２が嵌合して密封する位置にキャップを装着する第２の装着段階まで、キャップをねじ込んで装着することができる。
このとき、図６に記載のように、キャップ１のスカート部４から分離スカート部１０が大きな間隔５を隔てて離脱していることは明白に判るから、分離スカート部１０はタンパーエビデントリングとして機能することとなる。
【００４７】
【発明の効果】
以上の通り、本発明に係る緩み止めキャップ装着装置によれば、容器首部にキャップをねじ込み式に装着するキャップ装着位置において、キャップスカート部が、容器首部の停止片に係合してキャップのねじ込みを阻止されると同時に、容器首部の取り外し阻止片に係合してキャップのねじ戻しを阻止されるようになした構成を有することにより、容器首部にキャップをねじ込み装着するとき、キャップ装着位置において、キャップスカート部が、容器首部の停止片に係合してキャップの推進を阻止されることにより、キャップの装着位置を自由に設定することができるから、例えば、キャップ天板部の密封栓部や破栓用突起等が容器開口に設けた中栓やシール部材に当接して破壊しないように、キャップの装着高さ位置を自由に設定することができる一方、同時に、キャップスカート部が、容器首部の取り外し阻止片に係合してキャップの離脱を阻止されることにより、搬送時や箱詰め時にキャップ装着位置からキャップが緩んで脱落することを防止することができるのみならず、内容物を充填しキャップ装着後にレトルト処理やボイル処理のような加熱処理を行うねじ止め式キャップ容器において、加熱によってキャップに緩みが生じるのを防止することができる効果がある。
【００４８】
また、本発明は、請求項２に記載のように、請求項１に記載の緩み止めキャップ装着装置において、容器首部の取り外し阻止片をローレット状の微細な凹凸係合部により構成すると共に、キャップスカート部に該微細な凹凸係合部に係合してキャップのねじ戻しを阻止する微細係止部を設けてなる構成を有することにより、取り外し阻止片の微細な凹凸係合部に、キャップスカート部の微細係止部が噛み合うことにより、微細な構造で強力に緩みを阻止することができる効果がある。
【００４９】
また、本発明は、請求項３に記載のように、請求項１又は２に記載の緩み止めキャップ装着装置において、容器首部の一部にローレット状の微細な凹凸係合部を設けると共に、キャップスカート部に該ローレットに係合してキャップのねじ戻しを阻止する微細係止部を設けてなる構成を有することにより、ローレット状の微細な凹凸係合部に、キャップスカート部の微細係止部が噛み合って、微細な構造で強力に緩みを阻止することができる効果がある。
【００５０】
また、本発明は、請求項４に記載のように、請求項１、２又は３に記載の緩み止めキャップ装着装置において、互いに係合する容器首部及びキャップスカート部のねじ部にローレット状の微細な凹凸係合部と凹凸係止部を設けてなる構成を有することにより、容器首部及びキャップスカート部に特別の構造を設けることなく、互いに係合する容器首部及びキャップスカート部のねじ部によって、強力に緩みを阻止することができる効果がある。
【００５１】
また、本発明は、請求項５に記載のように、請求項１乃至４のいずれかに記載の緩み止めキャップ装着装置において、キャップの天板部が容器開口に密着しない位置においてキャップのねじ込みとねじ戻しを阻止されるようになした構成を有することにより、キャップ装着位置において、キャップの天板部が容器開口に密着しないことにより、例えば、キャップ天板部に密封栓部や破栓用突起等を突出して設けることができると共に、容器開口にキャップ天板部に接触して影響を受けないように中栓やシール部材を設けることができる効果がある。
【００５２】
また、本発明は、請求項６に記載のように、請求項１乃至５のいずれかに記載の緩み止めキャップ装着装置において、キャップスカート部に分離可能に設けた分離スカート部が係合してキャップのねじ込みとねじ戻しを阻止されるようになした構成を有することから、容器首部の停止片に係合してキャップの推進を阻止され、同時に、容器首部の取り外し阻止片に係合してキャップの離脱を阻止されるのが、キャップスカート部に分離可能に設けた分離スカート部であることにより、分離スカート部を除去した後のキャップスカート部は容器首部の停止片や取り外し阻止片に関係なく自由に着脱することができるから、例えば、容器使用時にシール部材や中栓を除去した後にキャップを容器開口に密着するように自由に装着することができる効果がある。
【００５３】
また、本発明は、請求項７に記載のように、請求項６に記載の緩み止めキャップ装着装置において、キャップスカート部と分離スカート部とが容易に切断する複数個所のブリッジにより連結されている構成を有することにより、キャップスカート部と分離スカート部とをブリッジを切断することにより容易に分離することができる効果がある。
【００５４】
また、本発明は、請求項８に記載のように、請求項６又は７に記載の緩み止めキャップ装着装置において、キャップスカート部から分離スカート部を分離することによって容器首部からキャップを離脱するようになした構成を有することにより、キャップスカート部から容器首部の取り外し阻止片に係合してキャップの離脱を阻止されるている分離スカート部を分離することによって容器首部からキャップを離脱することができる効果がある。
【００５５】
また、本発明は、請求項９に記載のように、請求項８に記載の緩み止めキャップ装着装置において、キャップスカート部から分離した分離スカート部を、タンパーエビデントリングとして容器首部に残してキャップを離脱するようになした構成を有することにより、キャップスカート部から分離した分離スカート部を容器首部に残しておくことができると共に、容器首部に残された分離スカート部がタンパーエビデントリングとして機能する効果がある。
【００５６】
また、本発明は、請求項１０に記載のように、請求項９に記載の緩み止めキャップ装着装置において、分離スカート部が、タンパーエビデントリングとして容器首部から上方に抜け落ちないように脱落を阻止されるようになした構成を有することから、分離スカート部が容器首部から上方に抜け落ちないように脱落を阻止されることにより、分離後にタンパーエビデントリングとして機能を持続する効果がある。
【００５７】
また、本発明は、請求項１１に記載のように、請求項１０に記載の緩み止めキャップ装着装置において、分離スカート部の脱落阻止部が容器首部の脱落阻止片に当接しない回転位置からキャップを容器首部にねじ込み始め、容器首部の停止片に突き当たってねじ込みが停止する装着位置で脱落阻止部と脱落阻止片が当接可能になした構成を有することにより、キャップを容器首部にねじ込み始めるときには、分離スカート部の脱落阻止部が容器首部の脱落阻止片に当接しないから容易且つ円滑にキャップのねじ込みができ、ねじ込みが停止する装着位置では脱落阻止部と脱落阻止片が当接することにより、分離スカートの脱落が防止されていることとなる効果がある。
【００５８】
また、本発明は、請求項１２に記載のように、請求項１１に記載の緩み止めキャップ装着装置において、分離スカート部の脱落阻止部と容器首部の脱落阻止片とを互いに重なり合わない間隔を隔てて等角度間隔に設けて、互いに当接しない回転位置からキャップを容器首部にねじ込み始め、容器首部の停止片に突き当たってねじ込みが停止する装着位置で脱落阻止部と脱落阻止片が当接可能になした構成を有することにより、分離スカート部の脱落阻止部と容器首部の脱落阻止片とを、互いに重なり合わない回転位置からキャップを容器首部にねじ込み始め、ねじ込みが停止する装着位置で脱落阻止部と脱落阻止片が重なり合って当接して、分離スカートの脱落が確実に防止される効果がある。
【００５９】
また、本発明は、請求項１３に記載のように、請求項１１又は１２に記載の緩み止めキャップ装着装置において、分離スカート部の脱落阻止部のねじ込み方向先端部付近に取り外し阻止部を設けると共に、ねじ込み方向後端部付近に回転阻止部を設け、容器首部の脱落阻止片のねじ込み方向先端部付近に設けた取り外し阻止片とねじ込み方向後端部付近に設けた停止片に、装着段階でそれぞれ相対して係合可能に設けた構成を有することにより、ねじ込みが停止する装着位置で、分離スカート部の脱落阻止部と容器首部の脱落阻止片が重なり合っている状態において、分離スカート部の脱落阻止部のねじ込み方向先端部付近に設けた取り外し阻止部が容器首部の脱落阻止片のねじ込み方向先端部付近に設けた取り外し阻止片と相対し、分離スカート部のねじ込み方向後端部付近に設けた回転阻止部が容器首部のねじ込み方向後端部付近に設けた停止片にそれぞれ相対して係合して、キャップスカート部と容器首部がねじ込み、ねじ戻し及び離脱方向において確実に結合した状態に維持される効果がある。
【００６０】
また、本発明は、請求項１４に記載のように、請求項１１、１２又は１３に記載の緩み止めキャップ装着装置において、分離スカート部の脱落阻止部を分離スカート部の下縁辺付近に設けると共に、容器首部の脱落阻止片を取り外し阻止片又は停止片の上縁辺付近に設けてなる構成を有することにより、分離スカート部の下縁辺付近に設けた脱落阻止部と、容器首部の取り外し阻止片又は停止片の上縁辺付近に設けた脱落阻止片とが、キャップ装着段階の初期に重なり合って係合するようにすることができると共に、分離後の分離スカート部を下方に避退するスペースを大きくとることができる効果がある。
【００６１】
また、本発明は、請求項１５に記載のように、請求項１１乃至１４のいずれかに記載の緩み止めキャップ装着装置において、キャップスカート部と分離スカート部の間にねじ込み推進方向においてのみ連動するように係合する連動係合部を設けてなる構成を有することにより、キャップスカート部と分離スカート部の間に設けた連動係合部が、キャップのねじ込み推進方向においてのみ連動するから、キャップねじ込み方向には分離作用力が作用することなく、キャップを装着することができると共に、キャップ離脱ねじ戻し方向には、分離スカート部に分離作用力が働き、分離することができる効果がある。
【００６２】
また、本発明は、請求項１６に記載のように、請求項６乃至１５のいずれかに記載の緩み止めキャップ装着装置において、キャップスカート部から分離した分離スカート部を装着位置から下方に避退可能になした構成を有することにより、キャップスカート部から分離した分離スカート部を装着位置から下方に避退することができ、次ぎにキャップを自由な深さにまで推進して装着することができる効果がある。
【００６３】
また、本発明は、請求項１７に記載のように、請求項６乃至１６のいずれかに記載の緩み止めキャップ装着装置において、キャップスカート部から分離スカート部を分離した後、キャップスカート部が、容器首部の停止片にねじ込みを阻止されることなく、キャップを天板部が容器開口に密着する位置にまで推進することができるようになした構成を有することにより、キャップスカート部から分離スカート部を分離した後、キャップスカート部が容器首部の停止片にねじ込みを阻止されることがないから、キャップを天板部が容器開口に密着する位置にまで推進することができる効果がある。
【００６４】
また、本発明は、請求項１８に記載のように、請求項１７に記載の緩み止めキャップ装着装置において、キャップの天板部にキャップ密封栓部を設け、キャップスカート部から分離スカート部を分離した後、キャップスカート部が、容器首部の停止片に推進を阻止されることなく、キャップ密封部が容器開口に嵌合して密封する位置にまで推進することができるようになした構成を有することにより、キャップスカート部から分離スカート部を分離した後、キャップスカート部が容器首部の停止片に推進を阻止されることがないから、キャップの天板部に設けたキャップ密封部を、容器開口に嵌合して密封する位置にまで装着することができる効果がある。
【００６５】
また、本発明は、請求項１９に記載のように、請求項１乃至１８のいずれかに記載の緩み止めキャップ装着装置において、当該緩み止めキャップ装着装置がレトルト処理やボイル処理のような充填後に熱処理を行う容器に設けてある構成を有することにより、レトルト処理やボイル処理のような充填後に熱処理を行う容器において、加熱後にキャップに生じる緩みを防止することができる効果がある。
【図面の簡単な説明】
【図１】本発明に係る緩み止めキャップ装着装置の一実施例の一部縦断正面図。
【図２】その実施例の要部の横断平面図。
【図３】その実施例の使用態様を示す説明図。
【図４】その実施例の使用態様を示す説明図。
【図５】その実施例の使用態様を示す説明図。
【図６】その実施例の使用態様を示す説明図。
【図７】その要部の縦断正面図。
【図８】その要部の底面図。
【図９】その他の要部の平面図。
【図１０】その他の要部の正面図。
【図１１】その他の要部の平面図。
【図１２】その他の要部の底面図。
【符号の説明】
１　　　キャップ
２　　　キャップ密封栓部
３　　　ねじ
４　　　キャップスカート部
５　　　間隔
６　　　ブリッジ
７　　　係合歯
８　　　切欠部
９　　　テーパー面
１０　　分離スカート部
１１　　係合歯
１２　　回転阻止部
１３　　取り外し阻止部
１４　　テーパー面
１５　　脱落阻止部
２０　　首部本体
２１　　容器首部
２２　　容器開口
２３　　ねじ
２４　　停止片
２５　　取り外し阻止片
２６　　脱落阻止片
２７　　リング受け段部
２８　　容器肩部
２９　　連結首部
３０　　シール部材
３１　　スパウト
３２　　鍔状部
３３　　溝状部
３５　　取付部
【図１】
2004131086.tif 000003
【図２】
2004131086.tif 000004
【図３】
2004131086.tif 000005
【図４】
2004131086.tif 000006
【図５】
2004131086.tif 000007
【図６】
2004131086.tif 000008
【図７】
2004131086.tif 000009
【図８】
2004131086.tif 000010
【図９】
2004131086.tif 000011
【図１０】
2004131086.tif 000012
【図１１】
2004131086.tif 000013
【図１２】
2004131086.tif 000014